(57)【要約】【課題】衣料に優れた防臭効果を付与することができる衣料用液体洗浄剤組成物を提供する。【解決手段】下記（ａ）成分、（ｂ）成分を０．５質量％以上５質量％以下、（ｃ）成分を０．５質量％以上７質量％以下、及び水を含有し、（ｂ）成分の含有量と（ｃ）成分の含有量の質量比が、〔（ｃ）成分の含有量〕／〔（ｂ）成分の含有量〕で、０．２以上５以下である、衣料用液体洗浄剤組成物。（ａ）成分：特定のノニオン界面活性剤、並びに、特定２種のアニオン界面活性剤、から選ばれる１種以上の界面活性剤（ｂ）成分：特定の２種の第４級アンモニウム塩から選ばれる１種以上の化合物（ｃ）成分：下記一般式（ｃ１）で表される塩            （Ｍｘ＋）ｙＳＯ４２−          （ｃ１）〔式中、（Ｍｘ＋）は、ナトリウムイオン、カリウムイオン、マグネシウムイオン、アンモニウムイオン、及び炭素数２以上６以下のアルカノールアンモニウムイオンから選ばれる１種以上のイオンである。ｘはイオンの価数であり１又は２の数である。ｘが１の時はｙは２の数であり、ｘが２の時はｙは１の数である。〕【選択図】なし【特許請求の範囲】
【請求項１】
下記（ａ）成分、（ｂ）成分を０．５質量％以上５質量％以下、（ｃ）成分を０．５質量％以上７質量％以下、及び水を含有し、（ｂ）成分の含有量と（ｃ）成分の含有量の質量比が、〔（ｃ）成分の含有量〕／〔（ｂ）成分の含有量〕で、０．２以上５以下である、衣料用液体洗浄剤組成物。
（ａ）成分：ポリオキシアルキレン基を有するノニオン界面活性剤、並びに、炭素数８以上１８以下の炭化水素基を有するスルホン酸塩、及び炭素数１０以上１８以下の炭化水素基を有する硫酸エステル塩から選ばれる１種以上のアニオン界面活性剤、から選ばれる１種以上の界面活性剤
（ｂ）成分：炭素数１２以上１６以上の炭化水素基を１つ有する第４級アンモニウム塩及び炭素数８以上１０以下の炭化水素基を２つ有する第４級アンモニウム塩から選ばれる１種以上の化合物
（ｃ）成分：下記一般式（ｃ１）で表される塩
（Ｍｘ＋）ｙＳＯ４２−          （ｃ１）
〔式中、（Ｍｘ＋）は、ナトリウムイオン、カリウムイオン、マグネシウムイオン、アンモニウムイオン、及び炭素数２以上６以下のアルカノールアンモニウムイオンから選ばれる１種以上のイオンである。ｘはイオンの価数であり１又は２の数である。ｘが１の時はｙは２の数であり、ｘが２の時はｙは１の数である。〕
【請求項２】
更に（ｄ）成分として、プロテアーゼを含有する、請求項１に記載の衣料用液体洗浄剤組成物。
【請求項３】
更に（ｅ）成分として、総炭素数３以上８以下であり２価以上４価以下の多価カルボン酸又はその塩を０．５質量％以上５質量％以下含有する、請求項１又は２に記載の衣料用液体洗浄剤組成物。
【請求項４】
前記ポリオキシアルキレン基を有するノニオン界面活性剤が、下記一般式（ａ１）で表されるノニオン界面活性剤である、請求項１〜３の何れかに記載の衣料用液体洗浄剤組成物。
Ｒ１（ＣＯ）ｍＯ−（Ａ１Ｏ）ｎ−Ｒ２        （ａ１）
〔式中、Ｒ１は炭素数９以上１６以下の第１級の脂肪族炭化水素基であり、Ｒ２は水素原子又はメチル基であり、ＣＯはカルボニル基であり、ｍは０又は１の数であり、Ａ１Ｏ基はエチレンオキシ基及びプロピレンオキシ基から選ばれる１種以上の基であり、ｎは平均付加モル数であって、２以上３０以下の数である。〕
【発明の詳細な説明】
【技術分野】
【０００１】
本発明は、衣料用液体洗浄剤組成物に関する。
【背景技術】
【０００２】
生活者の衛生意識の高まりに伴い、衣料のにおいや菌に対する関心も高まってきている。衣料には皮膚常在菌や環境中に存在する様々な菌が付着し繁殖していることが知られている。菌の増殖に伴い代謝物の排出量が多くなり、臭いがより発生しやすくなっていると考えられている。
殺菌効果を有する洗浄剤組成物としては、例えば、特許文献１には、カチオン系殺菌剤、該殺菌剤の０．５倍モル以上の金属キレート剤、並びに非イオン性界面活性剤及び／又は両性界面活性剤を含有し、アニオン界面活性剤を含有する組成物中でも殺菌効果が低下しない殺菌消毒洗浄剤組成物が開示されている。特許文献２には、アルキルポリエトキシサルフェート等の陰イオン界面活性剤、第４級アンモニウム界面活性剤を含有し、前記陰イオン界面活性剤及び第４級アンモニウム塩界面活性剤が液晶粒子を形成する、構造化ヘビーデューティ液体洗濯洗剤組成物が開示されている。
一方、特許文献３には、ポリオキシエチレンアルキルエーテル硫酸塩、直鎖状のアルコールアルコキシレート、分岐鎖状のアルコールエトキシレート、水溶性無機塩、酵素を含有し、水溶性無機塩を含有しても保存安定性に優れた液体洗浄剤が開示されている。特許文献３では、水溶性無機塩は液体洗浄剤の粘度増加に用いられている。特許文献４には、非イオン界面活性剤混合物、水溶性無機塩を含む多相液体洗浄剤組成物が開示されている。
【先行技術文献】
【特許文献】
【０００３】
【特許文献１】特開平７−５３９９５号公報
【特許文献２】特表平１１−５１２７６８号公報
【特許文献３】特開２０１４−６２２３１号公報
【特許文献４】特開２００５−８２６１０号公報
【発明の概要】
【発明が解決しようとする課題】
【０００４】
カチオン界面活性剤を含有する洗浄剤組成物で衣料を洗浄することで、衣料から発生する臭いを抑制する技術は開示されているが、更なる改善が求められている。特に臭いがこもりやすい木綿タオル等の厚手の衣料に更に高い防臭効果を付与することが求められている。
本発明は、衣料に優れた防臭効果を付与することができる衣料用液体洗浄剤組成物を提供する。
【課題を解決するための手段】
【０００５】
本発明は、下記（ａ）成分、（ｂ）成分を０．５質量％以上５質量％以下、（ｃ）成分を０．５質量％以上７質量％以下、及び水を含有し、（ｂ）成分の含有量と（ｃ）成分の含有量の質量比が、〔（ｃ）成分の含有量〕／〔（ｂ）成分の含有量〕で、０．２以上５以下である、衣料用液体洗浄剤組成物に関する。
（ａ）成分：ポリオキシアルキレン基を有するノニオン界面活性剤、並びに、炭素数８以上１８以下の炭化水素基を有するスルホン酸塩、及び炭素数１０以上１８以下の炭化水素基を有する硫酸エステル塩から選ばれる１種以上のアニオン界面活性剤、から選ばれる１種以上の界面活性剤
（ｂ）成分：炭素数１２以上１６以上の炭化水素基を１つ有する第４級アンモニウム塩及び炭素数８以上１０以下の炭化水素基を２つ有する第４級アンモニウム塩から選ばれる１種以上の化合物
（ｃ）成分：下記一般式（ｃ１）で表される塩
（Ｍｘ＋）ｙＳＯ４２−          （ｃ１）
〔式中、（Ｍｘ＋）は、ナトリウムイオン、カリウムイオン、マグネシウムイオン、アンモニウムイオン、及び炭素数２以上６以下のアルカノールアンモニウムイオンから選ばれる１種以上のイオンである。ｘはイオンの価数であり１又は２の数である。ｘが１の時はｙは２の数であり、ｘが２の時はｙは１の数である。〕
【発明の効果】
【０００６】
本発明によれば、衣料に優れた防臭効果を付与することができる衣料用液体洗浄剤組成物が提供される。
【発明を実施するための形態】
【０００７】
本発明は特定の鎖長の第４級アンモニウム塩による衣料の防臭効果を、更に高める技術を開示する。
本発明者らは、検討を重ねた結果、特定の鎖長の炭化水素基を有する第４級アンモニウム塩と特定の硫酸塩を併用する洗浄剤組成物で衣料を洗浄することで、特に臭いがこもりやすい木綿タオル等の厚手の衣料から発生する臭いを更に抑制できることを見出した。本発明の作用は、推定であるが、木綿タオル等の厚手の衣料を構成する糸は太い場合が多く、菌は汚れと共に存在しやすくなっていると考えられ、第４級アンモニウム塩が菌に作用しにくい場合があると考えている。本発明の（ｃ）成分が汚れを変質させることで第４級アンモニウム塩が菌に作用しやすくしているものと考えている。
【０００８】
＜（ａ）成分＞
（ａ）成分は、特定のノニオン界面活性剤及び特定のアニオン界面活性剤から選ばれる１種以上の界面活性剤である。すなわち、（ａ）成分は、ポリオキシアルキレン基を有するノニオン界面活性剤、並びに、炭素数８以上１８以下の炭化水素基を有するスルホン酸塩、及び炭素数１０以上１８以下の炭化水素基を有する硫酸エステル塩から選ばれる１種以上のアニオン界面活性剤、から選ばれる１種以上の界面活性剤である。（ａ）成分は衣料に付着した汚れを洗浄する作用を有する。
【０００９】
ポリオキシアルキレン基を有するノニオン界面活性剤の好ましい例として（ａ１）下記一般式（１）で表されるノニオン界面活性剤が挙げられる。
Ｒ１（ＣＯ）ｍＯ−（Ａ１Ｏ）ｎ−Ｒ２        （ａ１）
〔式中、Ｒ１は炭素数９以上１６以下の第１級の脂肪族炭化水素基であり、Ｒ２は水素原子又はメチル基であり、ＣＯはカルボニル基であり、ｍは０又は１の数であり、Ａ１Ｏ基はエチレンオキシ基及びプロピレンオキシ基から選ばれる１種以上の基であり、ｎは平均付加モル数であって、２以上３０以下の数である。〕
【００１０】
一般式（１）中、Ｒ１は炭素数９以上１６以下の第１級の脂肪族炭化水素基である。衣料の防臭効果をより高める点で、Ｒ１は、炭素数１１以上１４以下の第１級の脂肪族炭化水素基が好ましい。
衣料の防臭効果をより高める点で、Ｒ１の全量中、炭素数１１以上１４以下の脂肪族炭化水素基の割合は、６０質量％以上が好ましく、７０質量％以上がより好ましく、そして、１００質量％以下が好ましく、１００質量％であってもよい。すなわち、（ａ）成分中、Ｒ１が炭素数１１以上１４以下の炭化水素基であるノニオン界面活性剤の割合は、６０質量％以上が好ましく、７０質量％以上がより好ましく、そして、１００質量％以下が好ましく、１００質量％であってもよい。
Ｒ１の第１級の脂肪族炭化水素基としては、第１級のアルキル基及び第１級のアルケニル基から選ばれる基が挙げられ、第１級のアルキル基が好ましい。Ｒ１は、直鎖の基であることが好ましい。
【００１１】
一般式（１）中、Ａ１Ｏ基は、エチレンオキシ基及びプロピレンオキシ基から選ばれる１種以上の基である。衣料の防臭効果の向上の点から、Ａ１Ｏ基はエチレンオキシ基を含む基であることが好ましい。
【００１２】
一般式（１）中、ｎは平均付加モル数であって、２以上３０以下の数である。衣料の防臭効果をより高める点で、ｎは、３以上が好ましく、４以上がより好ましく、そして２８以下が好ましく、２６以下がより好ましく、２４以下が更に好ましい。
【００１３】
アニオン界面活性剤のより好ましい例として、（ａ２）炭素数９以上１８以下の脂肪族炭化水素基を有するスルホン酸塩、及び（ａ３）炭素数１０以上１８以下の脂肪族炭化水素基を有する硫酸エステル塩から選ばれる１種以上のアニオン界面活性剤が挙げられる。
【００１４】
（ａ２）炭素数９以上１８以下の脂肪族炭化水素基を有するスルホン酸塩の好ましい具体例としては、炭素数９以上１８以下のアルキル基を有するアルキルベンゼンスルホン酸塩が挙げられる。炭素数９以上１８以下のアルキル基とは、アルキルベンゼンスルホン酸塩のベンゼン環に置換するアルキル基を意味し、ベンゼン骨格は含まない。衣料の防臭効果をより高める点で、アルキル基の炭素数は１０以上が好ましく、１１以上がより好ましく、そして１６以下が好ましい。
【００１５】
（ａ３）炭素数１０以上１８以下の脂肪族炭化水素基を有する硫酸エステル塩の好ましい例としては、下記一般式（２）から選ばれる１種以上の硫酸エステル塩が挙げられる。
Ｒ２Ｏ−（Ａ２Ｏ）ｍ−ＳＯ３Ｍ        （２）
〔式中、Ｒ２は炭素数１０以上１８以下の脂肪族炭化水素基であり、Ａ２Ｏ基はエチレンオキシ基及びプロピレンオキシ基から選ばれる１種以上の基であり、ｍは平均付加モル数であって、０以上５以下の数である。Ｍは対イオンである。〕
【００１６】
一般式（２）中、Ｒ２は、衣料の防臭効果を向上させる点で、炭素数１２以上の脂肪族炭化水素基が好ましく、そして炭素数１６以下の脂肪族炭化水素基が好ましい。衣料の防臭効果をより向上させる点で、Ｒ２中の炭素数１２以上、１６以下の脂肪族炭化水素基の含有割合は、６０質量％以上が好ましく、７０質量％以上がより好ましく、８０質量％以上がより好ましい。すなわち、（ａ３）中、Ｒ２が炭素数１２以上１６以下の脂肪族炭化水素基であるアニオン界面活性剤の割合は、衣料の防臭効果をより向上させる点で、６０質量％以上が好ましく、７０質量％以上がより好ましく、８０質量％以上がより好ましい。
Ｒ２の炭化水素基は、アルキル基、アルケニル基が挙げられ、アルキル基が好ましい。
【００１７】
一般式（２）中、Ａ２Ｏ基は、エチレンオキシ基及びプロピレンオキシ基から選ばれる１種以上の基である。Ａ２Ｏ基は、全てエチレンオキシ基であっても良く、また全てプロピレンオキシ基であっても良い。また、エチレンオキシ基とプロピレンオキシ基を含んでいても良い。エチレンオキシ基とプロピレンオキシ基を含む場合は、ランダムに含んでいても良く、ブロックであっても良い。衣料の防臭効果をより向上させる点で、Ａ２Ｏ基はエチレンオキシ基を含むことが好ましい。
【００１８】
一般式（２）中、ｍは、平均付加モル数であり、０以上５以下の数である。平均付加モル数が「０」である硫酸エステル塩の意味は、一般式（２）中にＡ２Ｏ基が含まれない硫酸エステル塩を表す。後述する（ｂ）成分による衣料の防臭効果がより高まる点で、ｍは０．５以上が好ましく、１以上がより好ましく、１．３以上がより好ましく、１．５以上がより好ましく、２以上がより好ましい。衣料の防臭効果をより向上させる点で４以下が好ましく、３以下がより好ましい。
【００１９】
例えば前記一般式（２）において、ｍが０を超え５以下の硫酸エステル塩中には、ｍが０である硫酸エステル塩を含む場合がある。また、ｍが０である硫酸エステル塩とｍが０を超え５以下の硫酸エステル塩の２種類の硫酸エステル塩を配合し、本発明の衣料用液体洗浄剤組成物中に含有させる場合もある。本発明の（ａ３）において、前記一般式（２）中のｍは、当該組成物中に含まれる全ての（ａ３）を合計して算出される値で表すものとする。
【００２０】
一般式（２）中、Ｍで表される対イオンとしては、アルカリ金属イオン、及び炭素数１以上、６以下のアルカノールアンモニウムイオンから選ばれる対イオンが挙げられる。アルカリ金属イオンとしては、ナトリウムイオン、カリウムイオンが挙げられる。炭素数１以上、６以下のアルカノールアンモニウムイオンとしては、モノエタノールアンモニウムイオン、ジエタノールアンモニウムイオン、Ｎ−メチルエタノールアンモニウムイオン、Ｎ−メチルジエタノールアンモニウムイオン、トリエタノールアンモニウムイオンが挙げられる。
【００２１】
＜（ｂ）成分＞
本発明の（ｂ）成分は、炭素数１２以上１６以上の炭化水素基を１つ有する第４級アンモニウム塩及び炭素数８以上１０以下の炭化水素基を２つ有する第４級アンモニウム塩から選ばれる１種以上の化合物である。本発明の（ｂ）成分は本発明の衣料用液体洗浄剤組成物で衣料を洗浄することで、（ｂ）成分が衣料に吸着し、衣料に防臭効果を付与することが出来る。
【００２２】
（ｂ）成分としては、下記一般式（ｂ−１）で表される化合物〔以下、（ｂ１）成分という〕及び一般式（ｂ−２）で表される化合物〔以下、（ｂ２）成分という〕から選ばれる１種以上の化合物が挙げられる。
【００２３】
【化１】
2017008137.tif 000002
【００２４】
〔式中、Ｒ１１ｂは、炭素数１２以上１６以下の炭化水素基であり、Ｒ１２ｂ、Ｒ１３ｂ、Ｒ１４ｂは、それぞれ、炭素数１以上３以下のアルキル基、炭素素数１以上３以下のヒドロキシアルキル基、−（Ａ３Ｏ）ｋ−Ｈ、及びベンジル基から選ばれる基であり、Ａ３Ｏはエチレンオキシ基又はプロピレンオキシ基であり、ｋは１以上５以下の数であり、Ｘ−は、ハロゲンイオン、及び炭素数１以上３以下のアルキル硫酸イオンから選ばれる陰イオンである。〕
【００２５】
【化２】
2017008137.tif 000003
【００２６】
〔式中、Ｒ２１ｂ、Ｒ２２ｂは、それぞれ、炭素数８以上１０以下の炭化水素基であり、Ｒ２３ｂ、Ｒ２４ｂは、それぞれ、炭素数１以上３以下のアルキル基、炭素素数１以上３以下のヒドロキシアルキル基、−（Ａ３Ｏ）ｋ−Ｈ、又はベンジル基から選ばれる基であり、Ａ３Ｏはエチレンオキシ基又はプロピレンオキシ基であり、ｋは１以上５以下の数であり、Ｘ−は、ハロゲンイオン、及び炭素数１以上３以下のアルキル硫酸イオンから選ばれる陰イオンである。〕
【００２７】
（ｂ１）成分の一般式（ｂ−１）中、Ｒ１１ｂは、炭素数１２以上１６以下の炭化水素基であり、衣料への防臭効果を付与する効果がより高くなる点で、Ｒ１１ｂの炭素数は１３以上が好ましく、１４以上がより好ましく、１５以上が更に好ましく、１６がより更に好ましい。本発明の衣料用液体洗浄剤組成物の外観がより透明になりやすい点で、Ｒ１１ｂの炭素数は１５以下が好ましく、１４以下がより好ましく、１３以下が更に好ましく、１２が更に好ましい。Ｒ１１ｂの炭化水素基としては、アルキル基、アルケニル基が挙げられ、好ましくはアルキル基である。Ｒ１１ｂの炭化水素基の具体例は、ドデシル基、トリデシル基、テトラデシル基、ペンタデシル基、ヘキサデシル基が挙げられる。
【００２８】
一般式（ｂ−１）中、Ｒ１２ｂ、Ｒ１３ｂ、Ｒ１４ｂは、それぞれ独立に、炭素数１以上３以下のアルキル基、炭素素数１以上３以下のヒドロキシアルキル基、又はベンジル基から選ばれる基である。炭素数１以上３以下のアルキル基の具体例はメチル基、エチル基、プロピル基が挙げられる。炭素数１以上３以下のヒドロキシアルキル基の具体例は、ヒドロキシメチル基、ヒドロキシエチル基、ヒドロキシプロピル基が挙げられる。
【００２９】
一般式（ｂ−１）中、Ｘ−は、ハロゲンイオン、及び炭素数１以上３以下のアルキル硫酸イオンから選ばれる陰イオンである。ハロゲンイオンの具体例はクロルイオン、ブロモイオンであり、衣料の黄変抑制の点からクロルイオンが好ましい。炭素数１以上３以下のアルキル硫酸イオンの具体例としては、メチル硫酸イオン、エチル硫酸イオン、プロピル硫酸イオンが挙げられる。製造の容易性の点から、メチル硫酸イオン、エチル硫酸イオンが好ましい。
【００３０】
より好ましい具体的な（ｂ１）成分として、下記の（ｂ１−１）〜（ｂ１−４）から選ばれる１種以上の化合物が挙げられる。
（ｂ１−１）：前記一般式（ｂ−１）中、Ｒ１１ｂが、炭素数１２以上１６以下の炭化水素基であり、Ｒ１２ｂ、Ｒ１３ｂ、Ｒ１４ｂが、それぞれ、炭素数１以上３以下のアルキル基であり、Ｘ−が、ハロゲンイオン、及び炭素数１以上３以下のアルキル硫酸イオンから選ばれる陰イオンである化合物。
（ｂ１−１）の更に具体的な化合物は、Ｎ−ドデシル−Ｎ，Ｎ，Ｎ−トリメチルアンモニウム塩、Ｎ−テトラデシル−Ｎ，Ｎ，Ｎ−トリメチルアンモニウム塩、及びＮ−ヘキサデシル−Ｎ，Ｎ，Ｎ−トリメチルアンモニウム塩から選ばれる１種以上の化合物である。これらの塩としてはクロル塩、メチル硫酸塩、又はエチル硫酸塩が好ましい。
（ｂ１−２）：前記一般式（ｂ−１）中、Ｒ１１ｂが、炭素数１２以上１６以下の炭化水素基であり、Ｒ１２ｂ、Ｒ１３ｂが、それぞれ、炭素数１以上３以下のアルキル基であり、Ｒ１４ｂが、炭素数１以上３以下のヒドロキシアルキル基であり、Ｘ−が、ハロゲンイオン、及び炭素数１以上３以下のアルキル硫酸イオンから選ばれる陰イオンである化合物。
（ｂ１−２）の更に具体的な化合物は、Ｎ−ドデシル−Ｎ−ヒドロキシエチル−Ｎ，Ｎ−ジメチルアンモニウム塩、Ｎ−テトラデシル−Ｎ−ヒドロキシエチル−Ｎ，Ｎ−ジメチルアンモニウム塩、及びＮ−ヘキサデシル−Ｎ−ヒドロキシエチル−Ｎ，Ｎ−ジメチルアンモニウム塩から選ばれる１種以上の化合物である。これらの塩としてはクロル塩、メチル硫酸塩、又はエチル硫酸塩が挙げられる。
（ｂ１−３）：前記一般式（ｂ−１）中、Ｒ１１ｂが、炭素数１２以上１６以下の炭化水素基であり、Ｒ１２ｂ、Ｒ１３ｂが、それぞれ、炭素数１以上３以下のアルキル基であり、Ｒ１４ｂが、ベンジル基であり、Ｘ−は、ハロゲンイオン、及び炭素数１以上３以下のアルキル硫酸イオンから選ばれる陰イオンである化合物。
（ｂ１−３）の更に具体的な化合物は、Ｎ−ドデシル−Ｎ，Ｎ−ジメチル−Ｎ−ベンジルアンモニウム塩、Ｎ−テトラデシル−Ｎ，Ｎ−ジメチル−Ｎ−ベンジルアンモニウム塩、及びＮ−ヘキサデシル−Ｎ，Ｎ−ジメチル−Ｎ−ベンジルアンモニウム塩から選ばれる１種以上の化合物である。これらの塩としてはクロル塩、メチル硫酸塩、又はエチル硫酸塩が好ましい。
（ｂ１−４）：前記一般式（ｂ−１）中、Ｒ１１ｂが、炭素数１２以上１６以下の炭化水素基であり、Ｒ１２ｂ、Ｒ１３ｂが、それぞれ、炭素数１以上３以下のアルキル基であり、Ｒ１４ｂが、−（Ａ３Ｏ）ｋ−Ｈであり、Ａ３Ｏはエチレンオキシ基又はプロピレンオキシ基であり、ｋは１以上５以下の数であり、Ｘ−が、ハロゲンイオン、及び炭素数１以上３以下のアルキル硫酸イオンから選ばれる陰イオンである化合物。
【００３１】
（ｂ２）成分の一般式（ｂ−２）中、Ｒ２１ｂ、Ｒ２２ｂは、衣料への防臭効果を付与する効果をより高める点で、それぞれ、炭素数９以上が好ましく、１０がより好ましい。Ｒ２１ｂ、Ｒ２２ｂの具体例は、それぞれ独立に、オクチル基、ノニル基、デシル基であり、衣料への防臭効果を付与する効果をより高める点で、ノニル基、デシル基が好ましく、デシル基が更に好ましい。Ｒ２３ｂ、Ｒ２４ｂは、それぞれ独立に、炭素数１以上３以下のアルキル基、炭素素数１以上３以下のヒドロキシアルキル基、−（Ａ３Ｏ）ｋ−Ｈ、又はベンジル基から選ばれる基であり、Ａ３Ｏはエチレンオキシ基又はプロピレンオキシ基であり、ｋは１以上５以下の数である。炭素数１以上３以下のアルキル基の具体例はメチル基、エチル基、プロピル基が挙げられる。炭素数１以上３以下のヒドロキシアルキル基の具体例は、ヒドロキシメチル基、ヒドロキシエチル基、ヒドロキシプロピル基が挙げられる。
【００３２】
（ｂ２）成分のより具体的な化合物は、Ｎ，Ｎ−ジオクチル−Ｎ，Ｎ−ジメチルアンモニウム塩、Ｎ，Ｎ−ジノニル−Ｎ，Ｎ−ジメチルアンモニウム塩、Ｎ，Ｎ−ジデシル−Ｎ，Ｎ−ジメチルアンモニウム塩、Ｎ，Ｎ−ジオクチル−Ｎ−エチル−Ｎ−メチルアンモニウム塩、Ｎ，Ｎ−ジノニル−Ｎ−エチル−Ｎ−メチルアンモニウム塩、及びＮ，Ｎ−ジデシル−Ｎ−エチル−Ｎ−メチルアンモニウム塩から選ばれる１種以上の化合物が挙げられる。これらの塩としてはクロルイオン、メチル硫酸イオン、エチル硫酸イオンが挙げられる。
【００３３】
衣料に防臭効果を付与する効果が高い点で、（ｂ２）成分は、Ｎ，Ｎ−ジデシル−Ｎ，Ｎ−ジメチルアンモニウム塩、及びＮ，Ｎ−ジデシル−Ｎ−エチル−Ｎ−メチルアンモニウム塩から選ばれる１種以上の化合物が好ましい。これらの塩としてはクロルイオン、メチル硫酸イオン、又はエチル硫酸イオンが好ましい。
【００３４】
＜（ｃ）成分＞
（ｃ）成分は、下記一般式（ｃ１）で表される塩である。（ｃ）成分は（ｂ）成分による衣料の臭い抑制効果を更に高める作用を有する。
（Ｍｘ＋）ｙＳＯ４２−            （ｃ１）
〔式中、（Ｍｘ＋）は、ナトリウムイオン、カリウムイオン、マグネシウムイオン、アンモニウムイオン、及び炭素数２以上６以下のアルカノールアンモニウムイオンから選ばれる１種以上のイオンである。ｘはイオンの価数であり１又は２の数である。ｘが１の時はｙは２の数であり、ｘが２の時はｙは１の数である。〕
【００３５】
一般式（ｃ１）中、（Ｍｘ＋）の炭素数２以上６以下のアルカノールアンモニウムイオンの例としては、モノエタノールアンモニウムイオン、ジエタノールアンモニウムイオン、トリエタノールアンモニウムイオン、メチルエタノールアンモニウムイオン、メチルジエタノールアンモニウムイオンが挙げられる。
なお、（Ｍｘ＋）が、ナトリウムイオン、カリウムイオン、アンモニウムイオン、及び炭素数２以上６以下のアルカノールアンモニウムイオンから選ばれる１種以上のイオンの場合、ｘは１であり、ｙは２となる。また、（Ｍｘ＋）がマグネシウムイオンの場合、ｘは２であり、ｙは１となる。
【００３６】
本発明の衣料用液体洗浄剤組成物がプロテアーゼを含有する場合の（ｂ）成分による衣料に優れた防臭効果を付与する作用をプロテアーゼが更に高める点で、（Ｍｘ＋）は、ナトリウムイオン、カリウムイオン、及び炭素数２以上６以下のアルカノールアンモニウムイオンら選ばれる１種以上のイオンが好ましく、ナトリウムイオン、及びカリウムイオンら選ばれる１種以上のイオンがより好ましく、ナトリウムイオンが更に好ましい。
【００３７】
（ｃ）成分の好ましい塩の例として、硫酸ナトリウム、硫酸カリウム、及び硫酸モノエタノールアンモニウム塩から選ばれる１種以上の塩が挙げられる。
（ｃ）成分のより好ましい塩の例として、硫酸ナトリウム、及び硫酸カリウムから選ばれる１種以上の塩が挙げられる。
【００３８】
（ｃ）成分は、本発明の衣料用液体洗浄剤組成物を調製する際に、塩の状態の化合物を他の成分と共に配合することで組成物中に含有させることができる。また、水酸化ナトリウム、水酸化カリウム、水酸化マグネシウム、アンモニア、及び炭素数２以上６以下のアルカノールアミンから選ばれる１種以上のアルカリ剤と、硫酸とを用いて本発明の組成物となる混合物中で中和反応させることで、（ｃ）成分を形成させて組成物中に含有させることができる。
【００３９】
（ｃ）成分は、硫酸ナトリウム、硫酸カリウム、硫酸マグネシウム、硫酸アンモニウム、及び硫酸と炭素数２以上６以下のアルカノールアミンとの塩から選ばれる１種以上の化合物であってもよい。
【００４０】
本発明の衣料用液体洗浄剤組成物が、後述の（ｄ）成分のプロテアーゼを含有する場合、（ｃ）成分は特定の界面活性剤組成物と水を含有する洗浄剤組成物中で、（ｄ）成分と協働して（ｂ）成分による衣料に優れた防臭効果を付与する作用をより高める作用を有する。
【００４１】
＜水＞
本発明の衣料用液体洗浄剤組成物は、水を含有する。水は、イオン交換水、蒸留水、水道水、次亜塩素酸塩ナトリウムを１〜５ｍｇ／ｋｇ含有する水などを使用することができる。
【００４２】
＜任意成分＞
〔（ｄ）成分〕
本発明の衣料用液体洗浄剤組成物は、（ｄ）成分として、プロテアーゼを含有することが好ましい。（ｄ）成分を前記の（ｂ）成分と（ｃ）成分と併用することで、衣料の防臭効果を更に高めることができる。
【００４３】
タンパク質分解酵素はプロテアーゼと呼ばれることもある。プロテアーゼとしては、中性、あるいはアルカリ性の水溶液中で作用できるプロテアーゼが挙げられる。
好ましいプロテアーゼの具体例としては、アルカリプロテアーゼが挙げられる。更に、国際公開第９９／０１８２１８号に記載されているアルカリプロテアーゼであって好ましくは配列番号１、又は２で示されるアミノ酸配列の７０％以上が保存されているもの、特開平５−２５４９２に記載されているアルカリプロテアーゼであって好ましくはアルカリプロテアーゼＫ−１６又はアルカリプロテアーゼＫ−１４などが挙げられる。
その他に、ノボザイムズ社製のサビナーゼ（登録商標）、カンナーゼ（登録商標）、エバラーゼ（登録商標）、アルカラーゼ（登録商標）、ポラーザイム（登録商標）、エスペラーゼ（登録商標）の商品名で販売されているバチルス属ズブチリシン類が生産するプロテアーゼ、デュポン社製のＦＮ２（登録商標）、ＦＮ３（登録商標）及びＦＮ４（登録商標）、プラフェクト（登録商標）、プラフェクトプライム（登録商標）、花王株式会社製のアルカリプロテアーゼ、例えばＫＡＰ４．３Ｇ（花王株式会社製、登録商標）、ＫＡＰ８．０Ｑ−Ｌ（花王株式会社製）又はＫＡＰ１１．１Ｇ（花王株式会社製、登録商標）の商品名で供給されるプロテアーゼ類又はその変異型等が挙げられる。
【００４４】
なかでも、国際公開第９９／０１８２１８号に記載されている配列番号１、又は２で示されるアミノ酸配列の８０％以上が保存されている酵素、ノボザイムズ社製のサビナーゼ、エバラーゼ、アルカラーゼ、デュポン社製のプラフェクト、プラフェクトプライム、花王株式会社製のアルカリプロテアーゼがより好ましい。
【００４５】
衣料の防臭効果の観点から、（ｄ）成分のプロテアーゼは、酵素タンパク量１ｇ当たりの活性、すなわち比活性が、好ましくは５０００ｍＰＵ／ｇ以上、より好ましくは２００００ｍＰＵ／ｇ以上である。
【００４６】
〔（ｅ）成分〕
本発明の衣料用液体洗浄剤組成物は、（ｅ）成分として、炭素数４以上１２以下であり、２価以上４価以下のカルボン酸又はその塩を含有することが好ましい。（ｅ）成分は、（ｂ）成分と併用することで、衣料の防臭効果を更に高めることが出来る。
【００４７】
（ｅ）成分としては、より具体的には下記の（ｅ１）成分及び（ｅ２）成分から選ばれる１種以上の化合物が挙げられる。下記の（ｅ１）成分から選ばれる１種以上の化合物が好ましい。
（ｅ１）成分：アミノ基を含まない、炭素数４以上１０以下の、２価以上４価以下のカルボン酸又はその塩
（ｅ１）成分として（ｂ）成分による衣料の防臭効果を更に高める点で、炭素数４以上１０以下の、３価又は４価のカルボン酸又はその塩が好ましい。
（ｅ１）成分として、具体的にはクエン酸、酒石酸、コハク酸及びリンゴ酸から選ばれる１種以上のカルボン酸又はその塩が挙げられる。衣料への防臭効果を付与する効果をより高くできる点で、クエン酸又はその塩が好ましい。
（ｅ２）成分：アミノ基を含み、炭素数４以上１０以下の、２価以上４価以下のカルボン酸又はその塩
（ｅ２）成分として、具体的には、ニトリロトリ酢酸、エチレンジアミン四酢酸、３−ヒドロキシ−２，２’−イミノジコハク酸、ジエチレントリアミン五酢酸及びヒドロキシメチルエチレンジアミン三酢酸から選ばれる１種以上のカルボン酸又はその塩が挙げられる。
【００４８】
〔（ｆ）成分〕
本発明の衣料用液体洗浄剤組成物は、（ｆ）成分として、炭素数１０以上、２０以下の脂肪酸又はその塩を含有することができる。（ｆ）成分は、本発明の衣料用液体洗浄剤組成物の泡立ちを抑制する点で、炭素数１２以上、１４以下の脂肪酸又はその塩が好ましい。
【００４９】
〔（ｇ）成分〕
本発明の衣料用液体洗浄剤組成物は、（ｇ）成分として、水酸基を一つ以上含む水混和性有機溶剤を含有することができる。（ｇ）成分は、界面活性剤の溶解性の点から含有することが好ましい。（ｇ）成分について、水混和性とは、２５℃のイオン交換水１Ｌに５０ｇ以上溶解することを指す。（ｇ）成分としては、具体的には（ｇ１）エタノール、及び２−プロパノールから選ばれる１種以上の化合物、（ｇ２）エチレングリコール、プロピレングリコール、及びヘキシレングリコールから選ばれる１種以上の化合物、（ｇ３）ジエチレングリコールモノメチルエーテル、トリエチレングリコールモノメチルエーテル、ジエチレングリコールモノエチルエーテル、ジプロピレングリコールモノメチルエーテル、ジプロピレングリコールモノエチルエーテル、トリプロピレングリコールモノメチルエーテル、及びジエチレングリコールモノブチルエーテルから選ばれる１種以上の化合物、（ｇ４）２−フェノキシエタノール、ジエチレングリコールモノフェニルエーテル、及びトリエチレングリコールモノフェニルエーテルから選ばれる１種以上の化合物が挙げられる。
【００５０】
〔（ｈ）成分〕
本発明の衣料用液体洗浄剤組成物は、（ｈ）成分として、カルシウムイオン供与体を含有することができる。（ｈ）成分は、水中でイオン解離する性質を有する化合物であり、プロテアーゼの安定化剤として使用される。（ｈ）成分は無機化合物からなるものが好ましく、具体的には、塩化カルシウムが挙げられる。
【００５１】
〔その他の成分〕
本発明の衣料用液体洗浄剤組成物は、ｐＨ調整剤としてグリコール酸、乳酸、クエン酸等の酸剤、水酸化ナトリウム、炭素数２以上、６以下のアルカノールアミン等のアルカリ剤を含有することができる。炭素数２以上、６以下のアルカノールアミンとしては、例えばモノエタノールアミン、メチルジエタノールアミン、トリエタノールアミンが挙げられる。また、ポリエチレングリコールを標準物質として用いた、ゲルパーミエーションクロマトグラフィーで測定される重量平均分子量が５０００〜３００００のポリアクリル酸などのカルボン酸系ポリマーを含有することができる。
【００５２】
＜衣料用液体洗浄剤組成物の組成等＞
本発明の衣料用液体洗浄剤組成物は、（ａ）成分を、１０質量％以上６０質量％以下含有することが好ましい。衣料からの臭い発生の抑制の点から、（ａ）成分の含有量は、組成物中、１２質量％以上がより好ましく、１４質量％以上が更に好ましく、１６質量％以上がより更に好ましい。そして、経済性の点で、（ａ）成分の含有量は、５５質量％以下がより好ましく、５０質量％以下が更に好ましく、４０質量％以下がより更に好ましい。
なお、（ａ）成分のうち、炭素数８以上１８以下の炭化水素基を有するスルホン酸塩、更に、炭素数９以上１８以下のアルキル基を有するアルキルベンゼンスルホン酸塩については、酸型化合物とみなした場合の含有量を採用するものとする。
【００５３】
本発明の衣料用液体洗浄剤組成物は、（ｂ）成分を０．５質量％以上５質量％以下含有する。（ｂ）成分の含有量は、衣料により高い防臭効果を付与し、衣料からの臭いの発生を抑制できる点から、組成物中、０．６質量％以上が好ましく、０．７質量％以上がより好ましく、０．８質量％以上がより好ましく、１．０質量％以上がより好ましく、１．３質量％以上がより好ましく、１．５質量％以上がより好ましい。そして、（ｂ）成分の含有量は、組成物中、４．５質量％以下が好ましく、４．０質量％以下がより好ましく、３．５質量％以下が更に好ましく、３．０質量％以下が更により好ましく、２．５質量％以下が更により好ましく、２．０質量％以下が特に好ましい。本発明において、衣料用液体洗浄剤組成物中で（ｂ）成分の対イオンである陰イオン（例えば、一般式（ｂ−１）、（ｂ−２）中のＸ−）が、組成物中に含まれる他の陰イオンとイオン交換をして存在していたとしても、（ｂ）成分の含有量は当該組成物の調製に用いた（ｂ）成分の配合量と同義とみなす。
【００５４】
本発明の衣料用液体洗浄剤組成物は、（ｃ）成分を（ｂ）成分の含有量に対して特定の割合となるように含有することで、（ｂ）成分による臭い抑制効果を更に高めることが出来る。（ｃ）成分の含有量と（ｂ）成分の含有量との質量比が、〔（ｃ）成分の含有量〕／〔（ｂ）成分の含有量〕で０．２以上５以下であり、（ｂ）成分による衣料からの臭い発生を更に抑制できる観点から、０．２５以上が好ましく、０．３以上がより好ましく、０．３５以上がより好ましく、０．４以上がより好ましく、０．５以上がより好ましく、０．６以上がより好ましく、０．７以上がより好ましく、０．８以上がより好ましく、１以上がより好ましく、２以上がより好ましい。本発明の衣料用液体洗浄剤組成物の外観が透明になりやすい点で、４．５以下が好ましく、４以下が好ましく、３以下がより好ましい。
本発明の衣料用液体洗浄剤組成物は、（ｃ）成分を０．５質量％以上７質量％以下含有する。前記の質量比を満たすように、（ｃ）成分の含有量は調整される。
【００５５】
本発明の衣料用液体洗浄剤組成物が（ｄ）成分を含有する場合、該組成物中の（ｄ）成分の含有量は、衣料からの臭いの発生を更に抑制できる点で、酵素タンパク量として、好ましくは０．１質量％以上、より好ましくは０．２質量％以上、そして、好ましくは３質量％以下、より好ましくは２質量％以下、更に好ましくは１．５質量％以下である。
なお、本発明において、（ｄ）成分の酵素タンパク量は、ローリーらの方法（Ｌｏｗｒｙ，  Ｏ．Ｈ．ｅｔ．  ａｌ．，  Ｊ．  Ｂｉｏｌ．  Ｃｈｅｍ．，  １９３，  ２６５  （１９５１））に準じ、牛血清アルブミン（Ｂｏｖｉｎｅ  Ｓｅｒｕｍ  Ａｌｂｕｍｉｎ、ＳＩＧＭＡ社製、製品番号Ａ−７０３０）に換算して表したものとする。
【００５６】
本発明の衣料用液体洗浄剤組成物が（ｅ）成分を含有する場合、該組成物中の（ｅ）成分の含有量は、０．５質量％以上５質量％以下が好ましい。（ｅ）成分の含有量は、（ｂ）成分による衣料への防臭効果をより高める点から、０．６質量％以上が好ましく、０．７質量％以上がより好ましく、０．８質量％以上がより好ましく、そして４．５質量％以下が好ましく、４．０質量％以下がより好ましく、３．５質量％以下が更に好ましく、３．０質量％以下が更により好ましく、２．５質量％以下が更により好ましく、２．０質量％以下が特に好ましい。本発明の衣料用液体洗浄剤組成物中の（ｅ）成分の含有量は酸型、即ち−ＣＯＯＨとなっている化合物としての含有量として算出するものとする。
【００５７】
本発明の衣料用液体洗浄剤組成物が（ｆ）成分を含有する場合、（ｆ）成分の含有量は、消泡の点から、組成物中、０．１質量％以上が好ましく、０．２質量％以上がより好ましく、液感の保存安定性の点から、１質量％以下が好ましく、０．９質量％以下がより好ましい。本発明の衣料用液体洗浄剤組成物中の（ｆ）成分の含有量は酸型、即ち−ＣＯＯＨとなっている化合物としての含有量として算出するものとする。
【００５８】
本発明の衣料用液体洗浄剤組成物が（ｇ）成分を含有する場合、（ｇ）成分の含有量は、界面活性剤の溶解性の点から、組成物中、１質量％以上が好ましく、２質量％以上がより好ましく、経済性の点から、１０質量％以下が好ましく、８質量％以下がより好ましい。
【００５９】
本発明の衣料用液体洗浄剤組成物が（ｈ）成分を含有する場合、（ｈ）成分の含有量は、カルシウムイオンとして、組成物中、０．０１質量％以上０．１５質量％以下が好ましい。（ｄ）成分のプロテアーゼを含有する場合のプロテアーゼの安定性を向上させる点で、（ｈ）成分の含有量は、カルシウムイオンとして、組成物中、０．０２質量％以上が好ましく、０．０３質量％以上が好ましい。洗浄性の観点で、（ｈ）成分の含有量は、カルシウムイオンとして、組成物中、０．１２質量％以下が好ましく、０．１質量％以下が好ましく、０．０８質量％以下がより好ましい。
【００６０】
水の含有量は、（ａ）成分、（ｂ）成分、（ｃ）成分、及び（ｄ）成分、（ｅ）成分等の任意成分を除く残部である。
【００６１】
本発明の衣料用液体洗浄剤組成物は、２０℃におけるｐＨが３以上１０未満であることが、（ｃ）成分による（ｂ）成分の衣料への防臭効果をより高める作用がより判りやすい観点から好ましい。該ｐＨは９．５以下が好ましく、９．０以下がより好ましく、８．５以下が更に好ましく、そして３．５以上が好ましく、４．０以上がより好ましく、４．５以上が更に好ましい。
該ｐＨは、ガラス電極を用いて２０℃で測定した値である。具体的には、以下の方法で測定されたものである。
＜ｐＨの測定方法＞
堀場製作所製ｐＨメーター  Ｄ−５２にｐＨ電極（型式６３６７）をあらかじめフタル酸緩衝液（ｐＨ４．０１）、リン酸標準液（ｐＨ６．８４）、ホウ酸塩標準液（ｐＨ９．１８）で校正し、イオン交換水で十分すすいでおく。温度を２０℃に調整した衣料用液体洗浄剤組成物に、上記の通り校正、洗浄したｐＨ電極を入れ、ｐＨメーターのＡＵＴＯ  ＨＯＬＤモードを用いて、測定値が一定になるまで測定する。
【００６２】
本発明の衣料用液体洗浄剤組成物は、衣類、タオル、寝具、寝具用の繊維製品（シーツ、枕カバーなど）などの衣料の洗浄に用いられる。これら以外の洗濯が可能な繊維製品も対象とすることができる。
【実施例】
【００６３】
＜実施例１〜１５、比較例１〜２＞
下記成分を用い、表１に示す衣料用液体洗浄剤組成物を調製し、得られた組成物を用いて、下記の方法で防臭効果の評価を行った。その結果を表１に示す。なお、表１中の衣料用液体洗浄剤組成物の２０℃のｐＨは７．５であった。
【００６４】
〔（ａ）成分〕
・ａ１−１：炭素数１２〜１４の直鎖１級アルコールに、エチレンオキシドを平均１０モル付加させたポリオキシエチレンアルキルエーテル。
・ａ１−２：炭素数の１２〜１４の直鎖１級アルコールに、エチレンオキシドを平均８モル、プロピレンオキシドを平均２モル、エチレンオキシドを平均１０モル、この順で付加させたポリオキシアルキレンアルキルエーテル。
・ａ２−１：炭素数９〜１４のアルキル基を有するアルキルベンゼンスルホン酸ナトリウム（酸型化合物で配合し、ｐＨ調整剤のモノエタノールアミンにより中和して塩として組成物中に含有させた。）
・ａ３−１：ポリオキシエチレン（平均付加モル数２）ラウリルエーテル硫酸エステルナトリウム（花王株式会社製）
【００６５】
〔（ｂ）成分〕
・ｂ１−１：Ｎ−ラウリル−Ｎ，Ｎ，Ｎ−トリメチルアンモニウムクロリド
・ｂ１−２：Ｎ−ミリスチル−Ｎ，Ｎ−ジメチル−Ｎ−エチルアンモニウムエチルサルフェート
・ｂ１−３：Ｎ−ミリスチル−Ｎ，Ｎ，Ｎ−トリメチルアンモニウムクロリド
・ｂ２−１：Ｎ，Ｎ−ジオクチル−Ｎ，Ｎ−ジメチルアンモニウムメチルクロリド
・ｂ２−２：Ｎ，Ｎ−ジデシル−Ｎ−メチル−Ｎ−エチルアンモニウムエチルサルフェート
【００６６】
〔（ｃ）成分〕
・硫酸ナトリウム：和光純薬工業株式会社製、試薬特級
・硫酸カリウム：和光純薬工業株式会社製、試薬特級
【００６７】
〔水〕
水：次亜塩素酸塩ナトリウムを３ｍｇ／ｋｇ含有するイオン交換水
【００６８】
〔（ｄ）成分〕
・ｄ−１：ＫＡＰ８．０Ｑ−Ｌ（花王株式会社製）
・ｄ−２：サビナーゼウルトラ１６Ｌ（ノボザイム社製）
【００６９】
〔（ｅ）成分〕
・クエン酸
・コハク酸
・リンゴ酸
・酒石酸
【００７０】
〔（ｆ）成分〕
・脂肪酸：混合脂肪酸（ラウリン酸とミリスチン酸が質量比で、ラウリン酸／ミリスチン酸＝６０／４０である脂肪酸）（花王株式会社製）
【００７１】
〔（ｇ）成分〕
・エタノール：９５度エタノール（和光純薬工業株式会社製）
・ジエチレングリコール−モノ−ブチルエーテル：日本乳化剤株式会社
【００７２】
〔（ｈ）成分〕
・塩化カルシウム：塩化カルシウム１モル中のカルシウムイオンの含有量は３６質量％
【００７３】
〔その他の成分〕
・カルボン酸系ポリマー：重量平均分子量が５０００のポリアクリル酸
・ｐＨ調整剤：グリコール酸（和光純薬工業株式会社製）及び／又はモノエタノールアミン（和光純薬工業株式会社製）
【００７４】
＜防臭効果＞
市販のスポーツタオル（９０ｃｍ×２０ｃｍ、木綿１００％）を１ヶ月間使用と洗濯を繰り返したものを評価衣料とした。評価衣料からは油様臭の臭いがしていた。評価衣料を１０ｃｍ×１０ｃｍの大きさに裁断した。
裁断した評価衣料５枚を表に記載の衣料用液体洗浄剤組成物で洗浄した。洗浄は、濃度０．６７ｇ／Ｌの洗濯液で、攪拌式洗浄試験機（Ｔａｒｇｏｔ−ｏ−Ｍｅｔｅｒ）により、水温２５℃、攪拌速度８５ｒｐｍ、攪拌時間１０分、浴比１５の条件で洗浄処理した。洗浄後の評価衣料は水道水で十分濯ぎ、直ちに４０℃、相対湿度８０％環境下で２４時間放置した後、３０℃、６５％ＲＨの環境下で１時間放置した。
比較例１で洗浄した評価衣料から香る臭いの強さを基準として、下記基準で０から５まで１点刻みで点数をつけた。０が最低点、５が最高点である。５人の専門評価者がそれぞれ臭いの対比、評価を行い、０点、１点、２点、３点、４点、５点の点数を付けた。１点から４点の点数は、より０点から５点の間でよりどちらの点数に近いかを付けた。集計した点数の平均値により、防臭効果を評価した。表１に、評価点数の平均値を示した。点数が高い方がより防臭効果に優れることを意味する。
０：比較例１の組成物で洗浄した衣料と同じ臭いの強さ。
１：比較例１の組成物で洗浄した衣料と同じ油様臭がするがやや弱い。
２：０と５の間の臭いの強さであるが、比較例１の組成物で洗浄した衣料から臭う臭いの強さに近い。
３：やや油様臭の臭いがするが、気にならないレベルである。
４：僅かに油様臭の臭いがするが、気にならないレベルである。
５：洗濯前の衣料から臭う油様臭の臭いがしない。
【００７５】
【表１】
2017008137.tif 000004
【００７６】
＜配合例１〜７＞
前記成分を用い、表２に示す衣料用液体洗浄剤組成物を調製した。なお、表２中の衣料用液体洗浄剤組成物の２０℃のｐＨは７．５であった。表２に記載の衣料用液体洗浄剤組成物も本発明の効果を有すると考えられる。
【００７７】
【表２】
2017008137.tif 000005